(57)【要約】      （修正有）【課題】鏡板のケースへの接着固定部分を目立たなくする。【解決手段】上面開口の扁平状ケース２内に、鏡面１ｂが前記開口を臨むように鏡板１を収納し、前記ケース２にはその前記開口を閉じる蓋体３を取付ける。その収納凹部の前記開口側をその全周に亘って外側に縊れたものとし、その縊れ部４に前記蓋体３を嵌めるようにする。鏡面１ｂ外周と前記蓋体３の間には、固定材６を介在させ、その固定材６は、鏡板１の外周全長に亘って当接して、その内側にハート状の開口７を形成する。固定材６とケース２とは熱可塑性樹脂からなっており、前記縊れ部４下方に設けた段部４ｂ’と鏡面１ｂ上にその固定材６を配置して、その段部４ｂ’と固定材６下面とを全周に亘って超音波溶着８を施す。この手法によれば、溶着作業が容易であり、仕上がりもすっきりとした綺麗なものとし得る。また、開口７の形状を変えれば、バリエーションに富んだ手鏡１０とすることも可能である。【選択図】図４
0003103192.tif 000002
【実用新案登録請求の範囲】
【請求項１】
上面開口の扁平状ケース２内に、鏡面１ｂが前記開口を臨むように鏡板１を収納し、前記ケース２にはその前記開口を閉じる蓋体３を取付けた手鏡１０において、
前記鏡板１の鏡面１ｂ外周と前記蓋体３の間に固定材６を介在し、その固定材６を前記鏡板１に当接状態で前記ケース２に固定することにより、その鏡板１をケース２に収納したことを特徴とする手鏡。
【請求項２】
前記ケース２の鏡板１の収納凹部の前記開口側をその全周に亘って、外側に縊れたものとし、その縊れ部４に前記蓋体３を嵌めたことを特徴とする請求項１に記載の手鏡。
【請求項３】
前記固定材６とケース２が熱可塑性樹脂からなって、その固定材６を溶着８によりケース２に固定したことを特徴とする請求項１又は２に記載の手鏡。
【請求項４】
請求項３に記載の手鏡において、前記ケース２周縁の縁部１２に、そのケース２に収納した鏡板１の鏡面１ｂと面一の段部４ｂ’を形成し、前記固定材６は、その段部４ｂ’上と鏡面１ｂ上とに跨って位置して、その段部４ｂ’と固定材６の下面６ｃとの間に前記溶着８を施したことを特徴とする手鏡。
【請求項５】
請求項２を引用する請求項３において、前記縊れ部４の上面４ｂと固定材６の上面６ｂとを面一にして、その両上面４ｂ，６ｂとの間に前記溶着８を施したことを特徴とする手鏡。
【請求項６】
前記固定材６は、鏡板１の外周全長に当接し、その内側にハート状の開口７が形成されたものであることを特徴とする請求項４又は５に記載の手鏡。
【請求項７】
前記ケース２が透明部材からなることを特徴とする請求項４乃至６のいずれかに記載の手鏡。
【考案の詳細な説明】
【技術分野】
【０００１】
この考案は、鏡を内装した樹脂製のケースと、そのケースを閉じる蓋体とからなる手鏡に関するものである。
【背景技術】
【０００２】
この種の手鏡は、従来から携帯用や据え置き用に使用されており、その構造は、鏡板とその鏡板を固定するケース、及びそのケースに開閉自在に取付られる蓋体とから構成されている。前記ケースは、中央にフラットな底面を有し、その底面外周縁には、ケースに固定される鏡板の上面と同等、あるいはその上面よりも幾分高い縁部を前記底面から上方に突出させて設け、鏡板を収容できる箱体を構成している。鏡板は、前記縁部の内側にぴったりと嵌り込んで、その鏡板の側面が前記縁部の内側側面に接するとともに、その鏡板の下面と前記ケース底面との間には接着剤を塗布することにより両者が固定されている。
【０００３】
蓋体は、前記縁部に挿通されたヒンジ軸を介して、前記ケースに対して回転可能に支持されており、この蓋体を開けた際には、そのケースに対して一定角度まで開いて、その位置で、前記縁部等に設けたストッパに当接してそれ以上開かないようになっている。蓋体を閉じると、その蓋体は、前記縁部内側に嵌り込むか、あるいはその縁部上面に当接して、その状態で、別に設けた閉止部材によって蓋体がケースに固定できるようになっている（例えば、特許文献１、特許文献２、特許文献３参照）。
【特許文献１】実用新案登録第３０７４１８０号公報
【特許文献２】実用新案登録第３０６８３１０号公報
【特許文献３】特開２０００−２４５５３０号公報
【考案の開示】
【考案が解決しようとする課題】
【０００４】
しかし、上記従来の手鏡では、その鏡板下面とケース底面との間に接着剤を塗布することにより双方を固定しているため、そのケースの素材に、透明あるいは半透明の樹脂を使用した場合には、その内側の接着剤がケースを透過して外側から見えてしまう場合がある。接着剤が見えると、その接着材塗布部分の外観は、樹脂素材が本来有する純粋な色彩とは異なる色彩となり、他の部分との色むらが生じて美観的には好ましくない。その接着剤に代えて、両面テープ等を使用した場合も同様である。
【０００５】
そこで、この考案は、鏡板のケースへの接着、または固定部分を目立たなくして、鏡板をケースに容易に固定することを課題とする。
【課題を解決するための手段】
【０００６】
上記の課題を解決するために、この考案は、鏡板を収容したケース内において、その鏡板の鏡面外周と蓋体との間に固定材を介在させ、その固定材をケースに固定したのである。このようにすれば、鏡板は、ケース底面と固定材とに挟まれて上方への浮き上がりが拘束されるので、鏡板の下面とケース底面との間に接着剤等を塗布することなく、鏡板をケースにしっかりと固定できる。
【０００７】
具体的には、上面開口の扁平状ケース内に、鏡面が前記開口を臨むように鏡板を収納し、前記ケースにはその前記開口を閉じる蓋体を取付けた手鏡において、前記鏡板の鏡面外周と前記蓋体の間に固定材を介在し、その固定材を前記鏡板に当接状態で前記ケースに固定することにより、その鏡板をケースに収納したのである。固定材は、前記鏡面上においてその外周に位置しており、その固定材と前記扁平状ケースとの固定は、そのケースの収納凹部周縁部にて行われる。このため、そのケースと固定材との固定部分は、扁平状ケースの幅薄な側面に位置して、例えば、接着、溶着などその固定方法に係わらず目立たないものとし得る。
【０００８】
上記構成からなる手鏡において、前記ケースの鏡板の収納凹部の前記開口側をその全周に亘って、外側に縊れたものとし、その縊れ部に前記蓋体を嵌めた構成を採用し得る。このようにすれば、蓋体は、その縊れ部で止まって固定材に触れないので、蓋体のがたつきを防止し得るとともに、その蓋体が固定材へ繰り返し当接することによるその固定材のケースへの固定部分の損傷を防ぐことができる。また、鏡板は、その下面がケース底面に、鏡板の周囲側面が前記ケース側面に、また、鏡板上面は前記固定材下面にそれぞれ面接触した状態でしっかりとケースに固定され得るので、鏡板のケースに対するがたつき等を防止することができる。
【０００９】
前記固定材とケースが熱可塑性樹脂からなって、その固定材を溶着によりケースに固定すれば、固定材のケースへの固定が簡単であり、その仕上がりも綺麗なものとし得る。
【００１０】
上記構成の手鏡において、前記ケース周縁の縁部に、そのケースに収納した鏡板の鏡面と面一の段部を形成し、前記固定材は、その段部上と鏡面上とに跨って位置して、その段部と固定材の下面との間に前記溶着を施したものとすれば、両者の溶着作業が簡単であり、また、鏡板をケースと固定材との間にしっかりと固定し得る。
また、前記縊れ部を設けた構成の手鏡において、その溶着を、前記縊れ部の上面と固定材の上面とを面一にして、その両上面との間に前記溶着を施してもよい。このようにすれば、上記効果に加えて、その固定材とその縊れ部上面とは同一面内に位置させることができるので、ケースと固定材との隙間が埋められて、仕上がりに一体感が生まれるので綺麗である。
なお、上記溶着固定の手段としては、一般的な熱溶着を採用し得るが、超音波溶着を用いた手法が便利である。
【００１１】
さらに、前記固定材と段部、又は固定材と縊れ部上面とを溶着した構成において、前記固定材は、鏡板の外周全長に当接するものとして、その内側に自由な形状の開口が形成されたものとしてもよい。その固定材開口の形状を変化させることにより、鏡板が上方に開放される形状にバリエーションを与えることができるので、鏡板やケースの寸法、形状を変更することなく、その開口形状のみ変更することにより、需要者の嗜好に応じた手鏡のデザインにすることができる。
【００１２】
例えば、その開口の形状を、手鏡上面からの平面視ハート型のものとすれば、その手鏡は、ハート型の形状が有する特有のファンシーな雰囲気を醸し出して、かわいらしい商品に仕上がげることも可能である。なお、その固定材の上面に、適宜キャラクター等をあしらった図柄を配置することにより、さらに、そのデザイン上の付加価値を高めることが可能であり、また、その図柄として、時節に応じたキャラクターをその都度選択して製作すれば、比較的低コストでもって、流行に応じた商品開発も適宜可能となる。
【００１３】
さらに、前記ケースの素材を、透明部材からなるものとすれば、いわゆる「スケルトンボディ」と称される、透明でシンプルなデザインとすることができるとともに、そのケースが透明部材であっても、鏡板の下面には接着剤を使用する必要がないので、接着剤がケースを透過して見えるようなことはない。
【考案の効果】
【００１４】
この考案は、以上のようにしたので、鏡板のケースへの接着、または固定部分を目立たなくして、鏡板をケースに容易に固定し得る。
【考案を実施するための最良の形態】
【００１５】
一実施形態を、図１乃至図４に示し、この実施形態の手鏡は、携帯用、あるいは据え付け用に使用される四角形、扁平状の蓋付き手鏡１０である。
【００１６】
図１に示すように、上面開口した平面視四角形の扁平状ケース２内に、鏡面１ｂがその開口を臨むように鏡板１が収納されている。そのケース２は、透明、又は、任意の色彩を有する半透明の熱可塑性樹脂からなっており、四角形のフラットな底面５を有し、その底面５外周全周に亘って、底面５から上方に向かって突出する縁部１２を形成しており、その縁部１２と底面５とで鏡板１の収納凹部を形成している。
【００１７】
その縁部１２は、前記収納凹部の開口側に近い部分において、その全周に亘って外側に縊れたものとなっており、その縊れ部４は、図４に示すように、縊れ部上面４ｂ、及び縊れ部側面４ａとを有して、前記収納凹部周りに環状に形成されている。同じく縁部１２において、その縊れ部４下方には、ケース２の収納凹部に収納した鏡板１の鏡面１ｂと面一又は面一に近い高さにある段部４ｂ’が形成されており、前記縊れ部上面４ｂとこの段部４ｂ’との間に位置する収納凹部内側面を側面２ａとし、また、この段部４ｂ’のさらに下方の収納凹部側面を側面２ａ’として、 この側面２ａ’と鏡板１の側面１ａとは、その全周でもって接した状態にある。
【００１８】
ケース２には、図１に示す後方の一辺両端に、外方に向かって延びる対の軸受部１３，１３が延設されており、その軸受部１３，１３に設けたヒンジ軸９，９を介して、蓋体３がケース２に対して軸９周りに回転可能に取付けられている。この蓋体３は、前記ケース２と同じ素材で構成されており、前記収納凹部に被せると、その蓋体３は前記収納凹部の開口を閉じて、図２及び図３に示すように、蓋体３の下面３ｃが前記縊れ部上面４ｂに、蓋体３の側面３ａが、縊れ部側面４ａに接するように縊れ部４に嵌まり込む。また、前記蓋体３の前端と、それに対応するケース２前端には、閉止部材１４，１４が設けられているので、蓋体３をケース２に係止することができるようになっている。
【００１９】
そのケース２の収納凹部内に納めた前記鏡板１の鏡面１ｂ上外周には、図３に示すように、閉じた状態にある前記蓋体３との間に固定材６を介在させている。この固定材６は、前記鏡板１よりも一回り大きい四角形の外形を有する熱可塑性樹脂製板であり、手鏡のデザイン上有意義な適宜の色彩を有している。また、その中央部には、ハート型の開口７を設けている。この固定材６の下面６ｃが、前記鏡板１の鏡面１ｂに当接し、且つケース２の縁部１２内側に嵌まり込んだ状態でそのケース２に固定され、鏡板１の下面１ｃを、ケース２の底面５に押さえつけた状態、あるいは、鏡板１ががたつかない程度に固定材６と底面５との間に挟み込んで固定する。
【００２０】
このとき、前記鏡面１ｂは、その固定材６の開口７を介してのみ、上方へ開放されるようになっており、また、前記縊れ部４の上面４ｂと固定材６の上面６ｂとは、図４に示すように、その高さが同じ面一の状態となっている。また、そのケース２の収納凹部内側の側面２ａと、固定材６の周囲側面６ａとは、図４に示すように、その全周でもって接した状態にある。
【００２１】
この固定材６のケース２への固定は、同じく図４に示すように、段部４ｂ’とその上に載置された固定材６の下面６ｃとの間において、ケース２周縁全周に亘って連続的に、超音波溶着固定を施して行う。このとき、段部４ｂ’と固定材６とは、上下方向に隣接しているので、その固定材６を上方から下方に向かって押し付けるように超音波溶着を施せば、容易に両者を固定することができ、また、その溶着部分が外面に露出しないので外観を美しく仕上げることができる効果もある。このとき、段部４ｂ’と鏡面１ｂとは面一であることが望ましいが、固定材６を段部４ｂ’に固定してその固定材６の下面６ｃでもって鏡板１を固定し得る限りにおいて、両者は面一に近い範囲内で段差を有していてもよい。
なお、図５に示すように、この固定材６上面６ｂとケース２の縊れ部上面４ｂとの境目部分に沿って、その全周に亘って超音波溶着８を施してもよい。このとき、その溶着８部分となる、固定材６上面６ｂと縊れ部上面４ｂとは面一であるので、溶着作業が容易であるとともに、両者の隙間が埋められて一体性が高まり強固に溶着できるという利点がある。この図５に示す態様においては、前記段部４ｂ’を設けてもよいし、図示するように、段部４ｂ’を設けないで、固定材６の側面６ａと鏡板１の側面１ａとを面一にして、それぞれ側面２ａに接するようにしてもよい。
いずれの態様においても、その溶着箇所がすっきりとした綺麗なものとし得るとともに、その溶着部分がケース２の周縁部に位置するので目立たない。もちろん、実施の形態のようにその全周に亘って連続的に溶着する態様には限定されず、断続的に、あるいは部分的にスポット溶着を施してもよい。また、超音波溶着以外の周知の熱溶着手法を用いてもよい。
【００２２】
この手鏡１０の使用方法を以下説明する。まず、閉じられた蓋体３を開ける際には、図２に示す閉止部材１４の爪を外し、蓋体３の前端をケース２の前端から開放して、図中の矢印Ａに示すように、後方に向かって回転させながらか開放していく。この開放により、鏡面１ｂは、図１に示すように、開口７を介して上方へ露出し、鏡に、自身の顔や姿を映して手鏡として使用可能な状態となる。
【００２３】
さらに蓋体３を後方へと回転させて、蓋体３を、ケース２のやや裏面側へと開放すると、蓋体３は、図３に鎖線で示す位置まで回転して、その位置でケース２の下面に当接して、それ以上回転しないようになる。この状態で、蓋体３の下面３ｃ（蓋体３を閉じた状態において、鏡面１ｂに対向していた面）をテーブルなどフラットな面上に載置すれば、鏡面１ｂは、その下端から上端に向かうにつれて、徐々に後方へ後退する方向にやや傾いた状態に保持し得る。例えば、その状態で手鏡１０をテーブル上に載置すれば、手鏡１０は、着席した状態で自身の顔のやや下方に位置するので、最も使用しやすい角度に維持されて使用しやすい。
【００２４】
この実施形態では、固定材６の開口７の形状をハート型としたが、この実施形態には限定されず、任意の開口７の形状としてもよい。例えば、四角形や丸型、あるいはクローバ型などの開口としてもよい。その固定材６の側面６ａの、前記収納凹部内側側面２ａへの接触は、この実施形態のように、その全周に亘って連続して接するようにすれば、固定材６がぴったりと嵌まり込んで位置ずれを起こすことなく安定するが、例えば、その全周に亘って断続的に接するようにしてもよいし、また、固定材６を鏡板１の外周周りにいくつかに分割して配置するようにしてもよい。その効果は同じである。同じく、鏡板１の側面１ａの、前記収納凹部内側側面２ａ’への接触も  この実施形態のように、その全周に亘って連続して接して、収納凹部内にぴったりと嵌まり込むようにしてもよいし、例えば、その全周に亘って断続的に接するようにしてもよい。
【００２５】
また、手鏡１０の外形、すなわちケース２の外形は自由であり、四角形以外の外形であってもよい。同じく、鏡板１及びその鏡板１を収める収納凹部、及びその収納凹部を塞ぐ蓋体３の外形も自由である。蓋体３のケース２への固定方法も自由であり、ヒンジ軸９などを介して固定せずに、嵌め合わせて一体化する態様であってもよい。
【００２６】
ケース２、蓋体３、固定材６の素材は、溶着８を行う部分には、熱可塑性樹脂を使用する必要があるが、それ以外の部分の素材は自由である。溶着以外の方法で固定材６を固定する場合には、熱可塑性樹脂以外も使用可能である。ただし、溶着以外の固定方法、例えば、接着剤、又は両面テープ等を使用する場合には、その固定は、前記固定材６の周囲側面とケース２の収納凹部内側面との間にて行えば、接着剤等がケース２周縁に位置して目立たないようにし得るとともに、その接着面が扁平なケース２に対して垂直方向となって見えにくくなるので好ましい。もちろん、その接着剤等による固定の場合も、前記溶着の場合と同様に、その接着固定部分が前記鏡板１を固定し得るに充分な強度になるよう留意する一方、その接着剤、又は両面テープ等の使用部分を最小限度の部位に留めることが望ましい。
【００２７】
また、この実施形態のように、縊れ部上面４ｂと固定材上面６ｂとは面一であることが、その固定材とケースとの一体感、及び完成時の美観の面で望ましいが、上記要件を満たす限りにおいて面一でない構成、例えば、両者の間に高さの違いのある構成を採用してもよい。また、特に、図５に示す、前記縊れ部上面４ｂと固定材上面６ｂとを溶着する手法を採用する場合を除けば、縊れ部４を設けるか否かは自由であり、縊れ部４を設けない場合には、蓋体３は、その収納凹部開口を閉じた際に、例えば、蓋体３の側面３ａが、前記収納凹部内側側面２ａに接して、蓋体３全体がその収納凹部内に収まった状態に閉止できるようになっていればよい。
【００２８】
もちろん、ケース２や蓋体３、固定材６、そのほかの色彩は自由であり、また、透明、半透明以外の素材を使用してもよい。
【図面の簡単な説明】
【００２９】
【図１】一実施形態の開蓋斜視図
【図２】同実施形態の斜視図
【図３】図２の縦断面図
【図４】図２の要部断面図
【図５】他の実施形態の要部断面図
【符号の説明】
【００３０】
１  鏡板
１ａ  鏡板側面
１ｂ  鏡面（鏡板上面）
１ｃ  鏡板下面
２  扁平状ケース
３  蓋体
４  縊れ部
４ａ  縊れ部側面
４ｂ  縊れ部上面
５  ケース底面
６  固定材
６ａ  固定材側面
６ｂ  固定材上面
７  開口
８  溶着
９  ヒンジ軸
１０  手鏡
【図１】
0003103192.tif 000003
【図２】
0003103192.tif 000004
【図３】
0003103192.tif 000005
【図４】
0003103192.tif 000006
【図５】
0003103192.tif 000007